Podtech/llm-jp-corpus-v4-ja_patent huggingface dataset:
(57)【要約】      （修正有）【課題】凹面に対し平面と同一面上に先端部が接して、精度の高い平滑面を得られるパテベラを提供する。【解決手段】ヘラ板３のほぼ中間部の両側面側にヘラ板３の巾方向に等長で巾広の切削部４を形成して、パテベラを押圧した場合、中間部が湾曲し適宜な肉厚のある先端部５が凹面に対し平面と同一面上に先端部５が接して、精度の高い平滑面を得られるようにした。【選択図】図１
0003151825.tif 000002
【実用新案登録請求の範囲】
【請求項１】
握持部とヘラ板よりなるパテベラにおいて、ヘラ板の中間部の両側面側にヘラ板の巾方向に等長で巾広の切削部を形成したことを特徴とするパテベラ。
【考案の詳細な説明】
【技術分野】
【０００１】  本考案は、壁面等の工事の際、欠損部、溝、目地等を埋めるパテを撫でつけるためのパテベラで、パテベラの中間部に巾広の切削部を設けたパテベラに関するものである。
【背景技術】
【０００２】  従来のパテベラはヘラ板の根元部分は肉厚で、ヘラの先端方向へ細くなっており、先端部が最も薄くなっている。【０００３】  前記パテベラは、凹面の目地、溝等をパテ塗布する際、目地、溝に沿ってヘラ先端を押圧しながら表面からはみ出したパテを削り取ったり、撫でつけて平滑化していた。
【考案の開示】
【考案を解決しようとする課題】
【０００４】  しかしながら、上記の従来技術によると、ヘラの先端部が薄くなっているパテベラを押圧した場合、ヘラ板の中間部の付近が湾曲してヘラの先端部が多大な抵抗を受けて、薄くなっている先端部が変形して安定せず、凹面の仕上がりにむらが出てしまい、壁紙を貼った場合、補修箇所が均一に仕上がってないので間接照明では特に分かってしまう問題があった。
【０００５】  本考案は上記の問題を解決するために、凹面に対し平面と同一面上に先端部が接して、精度の高い平滑面を得られるパテベラを提供することを目的としたものである。
【課題を解決するための手段】
【０００６】  本考案は握持部とヘラ板よりなるパテベラにおいて、ヘラ板の中間部の両側面側にヘラ板の巾方向に等長で、巾広の切削部を形成して、問題点を解決している。
【考案の効果】
【０００７】  上述の様に、本考案のパテベラはヘラ板のほぼ中間部の両側面側をヘラ板の巾方向に、そして等長に適宜な巾と厚みに切削加工して切削部を形成したパテベラである。
【０００８】  従って、ヘラ板の中間部は根元部分や先端部の板厚に比べ中間部が薄くなっているので、パテベラを押圧した場合、ヘラ板の中間部が柔軟に湾曲するので、強い押圧力は必要なく、作業者の手首にかかる負担も小さくなり、塗布作業効率も上がる。
【０００９】  また、ヘラ板の中間部が湾曲してヘラ先端部に多大な抵抗を受けても、先端部は変形することがない適宜な肉厚があるので、先端部は凹面に対し平面と同一面上に接し、精度の高い平滑面を得られるものである。
【００１０】    そして、平滑化された壁面に壁紙を貼った場合、壁紙が均一に仕上がっているので間接照明による乱反射の光でも補修した凹面は分からず綺麗な仕上がりになる。
【考案を実施するための最良の形態】
【００１１】    握持部とヘラ板よりなるパテベラにおいて、ヘラ板のほぼ中間の両側面側にヘラ板の巾方向に、そして等長に切削加工をした切削部を形成している。なお、切削部は両側面を対称に適宜な巾と厚みに切削加工している。【００１２】    １は木製、プラスチック等で形成した握持部で巾広状の支持基板部２の上方の中央より立上がり状に配置されている。３はステンレス等の薄板状の金属板を切削加工等により形成されたヘラ板である。４はヘラ板３のほぼ中間の両側面側にヘラ板３の巾方向に、そして等長に切削加工した切削部を形成している。切削部４は両側面を対称に適宜な巾と厚みに切削加工している。５はヘラ板３の先端部で適宜な肉厚を有している。【００１３】    本考案は以上のような構成であるから、パテベラを押圧した場合、切削され薄くなっているヘラ板の中間部が柔軟に湾曲し、ヘラ先端部に多大な抵抗を受けても先端部は変形する事がない適宜な肉厚に形成されているので、先端部は凹面に対し平面と同一面上に接して、パテの削り取りや撫で付けて平滑化するものである。
【図面の簡単な説明】
【００１４】
【図１】本考案のパテベラの正面図である。
【図２】本考案のヘラ板の一部切欠断面図である。
【符号の説明】
【００１５】  １  握持部
２  支持基板板部
３  ヘラ板
４  切削部
５  先端部
【図１】
0003151825.tif 000003
【図２】
0003151825.tif 000004
(57)【要約】      （修正有）【課題】睡眠時の股間部・腹部の露出を防止し、排泄を容易にし、着席時の股間部の下着の露出を防止する、ロンパースつなぎ型寝巻きともワンピース型寝巻きとも差別化された視覚的にワンピースとパンツの中間の新たな寝巻きを提供する。【解決手段】着丈を各サイズの設定身長に対して膝上に設定し、足の前後の動きを自由にする事を実現する。裾幅は釦を留めても足の左右への十分な運動量が確保する為ゆとりとスリット１０を設ける。釦７の縫い付け糸の長さはボタンホール８，９二個分の長さで付ける。寝巻きを着用し、前身頃の釦を上から留めていき、前後両身頃２，３，４の裾部８，９を釦７で留めて着用完了とする。着席時には股間部の下着は見えず、排泄時には釦９を一つ外すだけである。睡眠時は裾部７，８，９結合によって裾部が上がってきても股間部、腹部の露出を防ぐ。又、裾部の釦９を外せばワンピースとしてデザインを楽しめる。【選択図】図１
0003151830.tif 000002
【実用新案登録請求の範囲】
【請求項１】
膝上丈ワンピース型の寝巻きの両前身頃中心裾部ボタンホールを施し、後ろ身頃中心裾裏部に釦を付け、それらを結合することでロンパースつなぎ型寝巻きともワンピース型寝巻きとも差別化し、睡眠時、排泄時、着席時の課題が解決されたデザインを実現した寝巻き
【考案の詳細な説明】
【技術分野】
【０００１】  本考案は、ワンピース型の被服の前中心裾部分にボタンホールを施し、後ろ身頃背中心裾裏部分に釦を付縫い付けた、ワンピースと半ズボンつなぎの両方のデザイン、機能性を兼ね備えた成人向けの寝巻きに関するものである。
【背景技術】
【０００２】  ホテル、病院、自宅において使用される男女兼用寝巻きは、ワンピース型、もしくはロンパース（つなぎのようで内股部が複数の釦でとめてある、乳幼児向けに良く用いられる）型、上下セパレート型が主に着用されている。
【考案の概要】
【考案が解決しようとする課題】
【０００３】  考案者は一続きで完成された理想的な成人向け寝巻きを作成する上で、ワンピース型とロンパース型のデザインに着目した。前者は着脱、排泄が用意である。しかし着席時に股間部の下着が見えやすい。又、睡眠時に股間部、腹部まで裾が上がってしまう恐れがある。後者は睡眠時には股間部、腹部が露出することは無く、着席時も股間部の下着は見えない。しかしズボン部の釦の着脱に時間、手間がかかり寝巻きとしてはストレスとなる。実質排泄時においては衣服のたくり上げも困難である。本考案は両者のデメリット部分を解決し、且つ視覚的に下半身が半ズボンとワンピースの中間に見える新しいデザインを実現させた、日常生活において成人男女の実用的寝巻きとして考案されたものである。
【課題を解決するための手段】
【０００４】  本考案は、ワンピース型の寝巻きの前中心（右前左前両方）裾部分にボタンホールを施し、後ろ身頃裏中心裾部分に釦を縫い付けることにより、以下のデメリットを解決した。
・着座時に股間部の下着が見えること。
・睡眠時の股間部、腹部まで裾が上がってしまうこと。
・着脱の際に釦をたくさん外さなくてはいけないこと。
・排泄時難しいこと。
そしてロンパース型ともセパレート型ともワンピース型とも違う新たな形のデザインを実現した。
【考案の効果】
【０００５】  上述の様に本考案の寝巻きの形体において視覚的に半ズボンとスカートの中間に見える新たなデザイン性、腹部などが露出しないなどの健康に関する機能性、着席時に股間部の下着が見えない、着脱が容易などの便利性において適している寝巻きと言える。
また、裾部の釦を外すとワンピースとして機能し、つなぎとワンピースの両方のデザインを兼ね備えた寝巻きである。
【図面の簡単な説明】
【０００６】
【図１】本考案の寝巻きの実施例を示す前後図である。
【図２】寝巻きの裾部結合部の拡大図である。
【考案を実施するための形態】
【０００７】  膝上丈ワンピース型の布帛製の寝巻きであることが基本型とする。裾の形はまっすぐ平坦なもので、右前身頃左前身頃の前中心部、裾から２ｃｍの場所にボタンホールを施す。後ろ身頃背中心裾から２ｃｍの場所の裏部に釦を施す。釦を前両身頃のボタンホールに通し、釦を留める。これにより、着用時に前身頃、後ろ身頃裾部が互いに内に引っ張られ視覚的にパンツ型の形態を現す。
【実施例】
【０００８】  以下、添付図面に従って実施例を説明する。寝巻き本体１の着丈を各サイズの設定身長に対して膝上に設定し、足の前後の動きを自由にする事を実現する。裾幅は釦を留めても足の左右への十分な運動量が確保できるようゆとりとスリット１０を設ける。釦７の縫い付け糸の長さはボタンホール８・９二個分の長さで付ける。寝巻きを着用し、前身頃の釦を上から留めていき、前後両身頃２・３の裾部８・９を釦７で留めて着用完了とする。
【産業上の利用可能性】
【０００９】  ホテル、病院、自宅において使用される成人向け男女兼用寝巻きとして利用可能性がある。ホテルへの寝巻きとしての販売、アパレルセレクトショップへの販売を進める上で一続きのデザインはセパレートタイプの寝巻きに比べ、洗濯などの対応も容易であり生産時のコストパフォーマンスにも長けている。機能性ともに十分と言える。
【符号の説明】
【００１０】１  寝巻き本体
２  右前身頃
３  左前身頃
４  後ろ身頃
７  後ろ身頃裾裏部釦
８  右前身頃裾部ボタンホール
９  左前身頃裾部ボタンホール
１０  スリット
【図１】
0003151830.tif 000003
【図２】
0003151830.tif 000004
(57)【要約】      （修正有）【課題】大地震時、家具設置部の壁又は床の揺れと、家具自体の揺れに少し遅れを作る事により、家具内の物品の揺れの衝撃を緩和させる装置を提供する。【解決手段】エアーダンパーとブラケットで構成されており、ダンパーロットを引く力にはダンパー内蔵コイルスプリングがこれを吸収し、ダンパーロットを押す力には空気入れの作用により空気圧がこれを吸収する。これにより取付けた家具の地震による揺れのタイミングを少しずらす事になり、家具本体の揺れは緩和され、家具内の物品に対する衝撃も緩和させる事が出来る。【選択図】図１
0003151821.tif 000002
【実用新案登録請求の範囲】
【請求項１】
壁用止め金具及び家具用止め金具の間にエアーダンパーを取り付け、地震による家具の揺れを緩和し家具内の物品を大幅に保護するための家具衝撃緩和装置
【考案の詳細な説明】
【技術分野】
【０００１】本考案はエアーダンパーによる家具衝撃緩和装置に関する。
【背景技術】
【０００２】地震による家具倒壊を防ぐための家具と壁とを固定する金具は従来より知られている。
【考案の開示】
【考案が解決しようとする課題】
【０００３】  しかしながら家具自体は倒れなくても割れ物を多く収納する食器箪笥等は家具内の物品が倒壊し、更には家具前面のガラス戸を破り床上に飛散する可能性大等の欠点があった。
【課題を解決するための手段】
【０００４】  本考案は従来法である金具により家具と壁とを固定するものではなく、大地震時、家具設置部の壁又床の揺れと家具自体の揺れに少し時間を作る事により、家具内の物品の揺れの衝撃を緩和させる。
その方法として家具と壁とを固定金具ではなく、エアーダンパーを介して接続する。（図１）エアーダンパーとは一般的な小型空気入れの先端の空気出口を小径穴とすることにより急激に空気を押し出そうとすれば一瞬空気バネ的作用がロット部の押込み又引き伸ばし両方に働く。
更に内蔵するコイルスプリングがこの働きを補助する。これを取付ける事により上記の課題を大幅に緩和せしめるものである。
【考案を実施するための形態】
【０００５】  図１は本考案を構成する主要部品のエアーダンパーの内部図で一般的な空気入れを元とした構造になっており（１）はコイルスプリングが入っており、ロットが伸びる時にスプリングが縮み（２）はロットが縮む時、内部の空気の出口を小さくする事により内部空気を圧縮しロットの縮む早さを抑制できる。これによりロットが伸びる時、縮む時両方の力作用を抑制できる。
【０００６】  本考案はこの外ダンパー取り付けブラケットも主要部品としている。
図２は取り付けブラケットを正面図、平面図で表している。
（４）の部分は上下に回転可能であり（５）はエアーダンパーが左右に回転可能である。
地震時に壁と家具が固定していない。その為、大きな揺れによる家具と壁との動きの変化によりエアーダンパーに無理な力が加わり損傷を防ぐ事ができる。
【０００７】図３は家具にエアーダンパーを取付けた側面図である。
大地震時に家具はダンパーの伸びにより一旦前に移動するがエアーダンパー内のスプリングにより衝撃を一部吸収できる。
（６）家具底部も少し移動する。前に移動した次の瞬間（７）家具は矢印方向に激しく移動し壁に当たるのをエアーダンパー内の空気の圧縮効果によりその衝撃を一部吸収できるものである。
【考案の効果】
【０００８】本考案は大地震時に家具倒壊を防ぐ方法として、家具と壁とを固定する従来法ではなく逆にある程度家具が動き、エアーダンパー装置により地震衝撃を一瞬吸収する事により家具内の物品を大幅に保護できるものである。
【図面の簡単な説明】
【０００９】
【図１】  エアーダンパーの内部図である。
【図２】  エアーダンパーの取付け金具ブラケットの正面図と平面図である。
【図３】  家具にエアーダンパーを取付け、地震時に家具が動いた時の説明図である。
【００１０】１．‥‥‥‥コイルスプリング
２．‥‥‥‥空気出口穴
３．‥‥‥‥ピストンバルブ
【図１】
0003151821.tif 000003
【図２】
0003151821.tif 000004
【図３】
0003151821.tif 000005
(57)【要約】      （修正有）【課題】耐摩耗性、耐久性、耐熱性のあるブラシを植毛して不安定な振れを無くし片ヘリを解消するブラシを提供する。【解決手段】ブラシの支持体１に持ち手穴２を形成し、台部３に刷毛部４を設けた撫でブラシにおいて、適宜な厚みと指の弧度に適したくぼみ部５を有する握持部６を持ち手穴２の上方に形成し、刷毛部４に樹脂のブラシを植毛することにより、撫でブラシの不安定な振れを無くし、片ヘリの激減に有効である。【選択図】図１
0003151826.tif 000002
【実用新案登録請求の範囲】
【請求項１】
ブラシの支持体に持ち手穴を形成し、台部に刷毛部を設けた撫でブラシにおいて、適宜な厚みと指の弧度に適したくぼみ部を有する握持部を持ち手穴の上方に形成したことを特徴とする撫でブラシ。
【請求項２】
上記刷毛部に樹脂のブラシを植毛した請求項１記載の撫でブラシ。
【考案の詳細な説明】
【技術分野】
【０００１】  本考案は、壁紙を壁に貼った後、空気やシワを逃がすように撫でるのに使用するブラシで、ブラシの支持体に指がフィットする握持部と刷毛部に樹脂のブラシを植毛した、撫でブラシに関するものである。
【背景技術】
【０００２】  従来、撫でブラシの握持部は握りやすくするための加工は一切されていない。また刷毛部のブラシの片ヘリを少なくすることが図られていなかった。
【考案の開示】
【考案が解決しようとする課題】
【０００３】  従来、撫でブラシの握持部はブラシの支持体の持ち手穴を単に刳り貫いた形状のものである。このため、作業者が握持部を握った時、指が握持部とフィットしていないのでブラシを壁に押しあてた時には指が滑って力が入らず撫でブラシが正確な動作をすることが困難であった。また、従来から撫でブラシは馬毛や豚毛を植毛しているが、摩擦で著しく磨耗する為、刷毛部の片側に力が加わった場合、刷毛が磨耗して片ヘリしてしまうという問題が生じている。上記の問題を解決する為に、指がフィットする握持部と磨耗しにくい撫でブラシを提供することを目的としたものである。
【課題を解決するための手段】
【０００４】  上記問題を達成するために、本考案は適宜な厚みと指の弧度に適したくぼみ部を有する握持部を持ち手穴の上方に形成する。また、撫でブラシの刷毛部には耐摩耗性、耐久性、耐熱性のある樹脂のブラシを植毛する。
【考案の効果】
【０００５】  上記のように本考案は、指が握持部にフィットする様に指の弧度に適したくぼみ部を握持部に形成しているので、作業者がブラシを壁に押しあて壁紙の空気やシワを逃がす動作の時、指が握持部のくぼみ部にフィットしているので、指が滑って撫でブラシが不安定に振れることも無く、長時間の作業でも正確な動作をすることが出来るので作業効率が上がる。また、撫でブラシの刷毛部には摩擦でも磨耗しにくい樹脂のブラシを植毛しているので、刷毛部の片側に力が加わった場合でも、片ヘリが激減する。さらに、従来の馬毛、豚毛に比べて樹脂のブラシは滑りやすい特性があるので、空気抜き、シワ伸ばしの作業がスムーズに行えるので作業効率も上がる。
【考案を実施するための最良の形態】
【０００６】  板状で、ほぼ半楕円形のブラシの支持体に適宜の持ち手穴を形成し、台部の長手方向に刷毛部を設けて、樹脂のブラシを植毛している。持ち手穴の上方には適宜な厚みと指の弧度に適したくぼみ部を有する握持部を形成している。
【実施例】
【０００７】  以下、添付図面に従って一実施例を説明する。１は木製、耐久性のプラスチック等適宜素材で形成したほぼ半楕円形の板状のブラシの支持体である。２はブラシの支持体１に形成された適宜の持ち手穴である。３はブラシの支持体１の台部で、台部３の長手方向に刷毛部４を設けて樹脂のブラシを植毛している。持ち手穴２の上方には適宜な厚みと指の弧度に適したくぼみ部５を有する握持部６をブラシの支持体１と一体成型している。【０００８】  本考案は以上の構成であるから、壁紙の空気やシワを逃がす動作の時、握持部のくぼみ部に指がフィットするので、撫でブラシが不安定に振れることもない。また、撫でブラシの刷毛部に耐摩耗性、耐久性、耐熱性のある樹脂のブラシを植毛しているので、摩擦による片ヘリ等が激減する。さらに、樹脂ブラシは滑りやすい特性があるので、空気抜き、シワ伸ばしの作業がスムーズに行える。
【図面の簡単な説明】
【０００９】
【図１】    本考案の撫でブラシの正面図である。
【図２】    本考案の撫でブラシの底面図である。
【符号の説明】
【００１０】    １  ブラシの支持体
２  持ち手穴
３  台部
４  刷毛部
５  くぼみ部
６  握持部
【図１】
0003151826.tif 000003
【図２】
0003151826.tif 000004
(57)【要約】【課題】本考案は、枕カバーに顆粒備長炭シートを設置し、枕カバー及び枕本体の不快な湿りや臭いを消去する。【解決手段】本考案は枕カバー３に布を縫い付ける等して袋４を設け、その袋４に顆粒状にされた備長炭が入った顆粒備長炭シート１を挿入する。この袋４は顆粒備長炭シート１が容易に出し入れ可能な構造である事により、枕カバー及び枕本体の不快な湿りや臭いを消去でき、爽やかに眠りを得る事に役立つとともに、顆粒備長炭シートを枕カバーより取り外すことにより枕カバーの洗濯も可能となる。【選択図】図１
0003151822.tif 000002
【実用新案登録請求の範囲】
【請求項１】
枕全体を包む枕カバーの表面に、布を縫い付ける等して袋を作り、その袋に顆粒備長炭シートを挿入した、顆粒備長炭シートを設置した枕カバー。
【請求項２】
枕全体を包む枕カバーの裏面に、布を縫い付ける等して袋を作り、その袋に顆粒備長炭シートを挿入した、顆粒備長炭シートを設置した枕カバー。
【請求項３】
枕全体を包まず、枕の頭部が乗る附近だけをカバーする枕カバーの表面に、布を縫い付ける等して袋を作り、その袋に顆粒備長炭シートを挿入した、顆粒備長炭シートを設置した枕カバー。
【請求項４】
枕全体を包まず、枕の頭部が乗る附近だけをカバーする枕カバーの裏面に、布を縫い付ける等して袋を作り、その袋に顆粒備長炭シートを挿入した、顆粒備長炭シートを設置した枕カバー。
【考案の詳細な説明】
【技術分野】
【０００１】  本考案は、顆粒状にした備長炭を入れた顆粒備長炭シートを設置した枕カバーに関するものである。
【背景技術】
【０００２】  枕カバーはかつては、枕の汚れを防いだり、布団カバー等とのコーディネートを楽しむものでよかった。しかし今日、枕カバーや枕が、地球の温暖化による猛暑の夏期等は特に頭部の汗等により不快な湿気や臭いの元となったり、気密性の高い空間が多い現代社会で、タバコや食物の臭い等様々な臭いが附着した髪を洗髪せずに就寝すると不快な臭いの元となる事がよくある。こうした枕カバーや枕の不快な湿気や臭いの対策は、枕カバーのこまめな洗濯や、枕自体の洗濯、天日干し等による自然拡散、又は消臭剤による強制消臭しかなく、いささか面倒であった。
【考案の開示】
【考案が解決しようとする課題】
【０００３】  日本では古くから湿気を一定に保ち、木材の腐敗を防ぐ目的で木造建造物の土台部分に炭を敷いた。また、活性炭で知られる様に炭の臭いをとる効力は周知の事実である。この日本人が古くから身近に使ってきた炭、とりわけ優れた効力を持った備長炭を使い、前述の問題点を解決し、就寝時に不快な湿りや臭いが無い枕カバーや枕で爽やかに眠れるようにしようとするものである。
【課題を解決するための手段】
【０００４】  本考案は、枕カバーに布を縫い付ける等して袋を設け、その袋に顆粒状にされた備長炭が入った顆粒備長炭シートを挿入し、枕カバーに顆粒備長炭シートを設置する。調湿、消臭効果の高い備長炭が常に頭部附近に存在する事により問題を解決する。尚、この袋は、枕カバーの洗濯時には顆粒備長炭入りシートが容易に抜き取れる構造にしておく必要がある。
【考案の効果】
【０００５】  上述の様に、本考案の顆粒備長炭入りシートが設置された枕カバーを使用すると、炭の優れた消臭効力で枕カバーの臭いが消臭されるのみならず、枕本体に附着した臭いも消臭でき、就寝時不快な臭いを感じず気持ちよく就寝できる効果が期待できる。また炭の調湿効果で、汗で湿った枕カバーから湿気を取り、枕カバーをさらっとさせる効果が期待できるのみならず、枕本体の不快な湿気を取る効果も期待でき、枕本体の洗濯や天日干しの回数が減る可能性があり、更にこの効果は洗濯できない枕にも期待できる。
【考案を実施するための最良の形態】
【０００６】  幾つかの部屋に仕切られた袋に顆粒備長炭を入れ、入れ口を閉じて、顆粒備長炭入りシートを作る。枕カバーにこの顆粒備長炭シートを設置する為に、布を縫い付ける等して袋を作り、その袋に顆粒備長炭シートを挿入、顆粒備長炭シートと一体となった枕カバーを作る。顆粒備長炭シートはこの袋から容易に抜き取れる構造とし、枕カバーの洗濯も可能なものとする。
【実施例】
【０００７】  以下、添付図面に従って一実施例を説明する。１は顆粒備長炭シートである。
このシートは袋を２−１、２−２、２−３の様に縫い合せ作られた４つの細長い空間に顆粒備長炭を詰めて作られている。３は、枕カバーである。４は、枕カバーに縫い付けられた袋である。この袋に１の顆粒備長炭シートを挿入する。【０００８】  本考案の一実施例は、上述の如き構成からなるものであるから、枕カバーと顆粒備長炭シートは一体となり、顆粒備長炭シートを設置した枕カバーとなる。
【図面の簡単な説明】
【０００９】
【図１】本考案の顆粒備長炭シートを設置した枕カバーの実施例の顆粒備長炭シート設置途中斜視図
【図２】本考案の枕カバーの実施例の斜視図
【図３】本考案の顆粒備長炭シートの実施例の斜視図
【符号の説明】
【００１０】  １  顆粒備長炭シート
２−１、２−２、２−３  顆粒備長炭シート用袋の縫い合せライン
３  枕カバー
４  枕カバーに縫いつけられた袋
【図１】
0003151822.tif 000003
【図２】
0003151822.tif 000004
【図３】
0003151822.tif 000005
(57)【要約】      （修正有）【課題】頭部の血行を良くする磁気付の帽子を提供する。【解決手段】帽子に磁気体を付けたことを特徴とする。【選択図】図２
0003151824.tif 000002
【実用新案登録請求の範囲】
【請求項１】
磁気体を付けた帽子
【考案の詳細な説明】
【考案の詳細な説明】
この考案は頭部の血行を良くするため、帽子の内側に磁気体を帯状に廻したもので、原理は磁気バンドや磁気ネックレスなどと同じである。
【図面の簡単な説明】
【図１】磁気体を帯状にした物
【図２】帽子の内側に付けた状態
【図３】完成の状態
【図１】
0003151824.tif 000003
【図２】
0003151824.tif 000004
【図３】
0003151824.tif 000005
(57)【要約】      （修正有）【課題】夏期や多湿時の事務作業等において、卓面に接する腕に汗を掻き、腕に感じる不快を解消する腕のベタツキ防止手袋を提供する。【解決手段】手袋の長さは、手首迄の物から肘の上迄の物と、用途に合わせた種々の長さを有し、指先は親指は第一関節迄、他の指は第二関節まで切断されている構造とし、素材は通気性の良い薄手の生地で、伸縮性が有り腕にフィットし、手のひら側の一部を、摩擦係数の大きい素材で構成する。【選択図】図１
0003151823.tif 000002
【実用新案登録請求の範囲】
【請求項１】
手袋の各指先が切断されていることを特徴とし、親指は第一関節迄、他の指は第二関節迄切断されており、手袋の長さは、手首迄の物から肘の上迄の物と、用途に合わせた種々の長さを有し、素材は通気性の良い薄手の生地で、伸縮性が有り腕にフィットすることを特徴とし、手袋の手のひら側の一部を、他の部分より摩擦係数の大きい素材で構成することができることを特徴とする、腕のベタツキ対応手袋
【考案の詳細な説明】
【技術分野】
【０００１】本考案は、防汗とファッション機能を備えた、特にパソコンのキーボード操作や  机上の事務作業  等に好適な手袋に関するものである。
【背景技術】
【０００２】従来、ゴルフ用や釣り用、自転車あるいは自動車運転用の手袋として、指先が露出する様に指部分を切断した手首までの短い手袋や、腕の日焼け防止用の、肘までの長手袋が知られている。しかし、手首までの短い手袋は、机上に腕を接触して作業を行う場合の、腕の汗対策用とはならず、又、肘までの長手袋は、指先が露出していない為、素手と同じ様な細かい作業が出来なかった。一方で昨今、パソコンの普及が著しく  又、事務作業等においても、机上に腕を接触して作業を行う場合、腕のベタツキ対策が必要である。
【先行技術文献】
【特許文献】
【０００３】
【特許文献１】登録実用新案第３００６４９４号
【特許文献２】登録実用新案第３１１４０５９号
【特許文献３】登録実用新案第３１４６１６６号
【考案の概要】
【考案が解決しようとする課題】
【０００４】本考案の目的は、パソコンのキーボード操作や机上の事務作業等に際し、腕の汗対策用として、腕のベタツキ対応手袋を提供することにある。又、他の目的としては、手袋着用時における腕からの発汗の処理と、腕へのフィット  及び、物を握った時に手袋の素材により手元からすべり落ちる事が無い様に、握り  保持性を高めた手袋を提供することにもある。
【課題を解決するための手段】
【０００５】上記課題を解決するために、本考案の腕のベタツキ対応手袋は、素材は通気性の良い薄手の生地で、伸縮性が有り腕にフィットすることを特徴とし、好適には、各指先が切断されている手袋である。又、本考案の腕のベタツキ対応手袋においては、必要に応じ、手袋の手の平側の表面の少なくとも一部を、他の部分より摩擦係数の大きい素材で構成する事ができる。
【考案の効果】
【０００６】本考案の、腕のベタツキ対応手袋は、パソコンのキーボード操作や、机上の執筆等の事務作業時の腕の汗対策用として考案した手袋で、使用用途に合わせて種々の長さの物を選択できる。又、本考案によれば、手袋着用時に物を握った時の握り保持性を高め、滑り落とす危険性を回避する事ができる。
【図面の簡単な説明】
【０００７】
【図１】  図１は、本考案の腕のベタツキ対応手袋を例示するもので、着用時の状態を示した背面側（手の甲側）の斜視図である。
【図２】  図２は、本考案の腕のベタツキ対応手袋を例示するもので、着用時の状態を示した正面側（手の平側）の斜視図である。
【考案を実施するための形態】
【０００８】（１）図１は、本考案の腕のベタツキ対応手袋を例示するもので、手袋の長さが、手首１迄の物から肘の上２迄の物と、用途に合わせた種々の長さの物で、手袋の各指先部分が切断されている構造の手袋である。
（２）手袋の長さが、手首迄の物から肘の上迄の物と、種々の長さの物を有するのは、パソコンのキーボード作業だけでなく、机上等の様々な作業にあわせて、手袋の選択が可能な事を提供する為である。
（３）手袋の各指先の切断個所は、親指は第一関節迄、他の指は第二関節迄とし、パソコンのキーボード作業、執筆作業や、書類の頁めくり等の、操作性を確保する。
（４）本考案においては、この様な観点から、上記の様に各指先が切断されている事が好ましく、種々の色彩の製品  又は、手袋の甲の部分や、長手袋の腕の部分に様々な刺繍や模様付け等を行う事により、ファッション性の効果も期待できる。
（５）図１は、着用時の状態を示した背面図（手の甲側）の斜視図である。  図１において、手袋の各指先は切断されており、着用時に各指先が露出する様な構造となっている。手袋の各指先の切断個所は、好適には図１に示した様に、親指は第一関節３迄、他の指は第二関節４迄とする事ができる。
（６）手袋を構成する素材としては、通気性が良く、伸縮性が有る生地で、好適には、特に長手袋は腕にフィットするか、ずれ下がり防止対策を施す事ができる。  又、物を握った時にすべり落ちる事が無い様に、図２の手の平部の表面５の少なくとも一部を、手袋本体の他の部分より摩擦係数の大きい素材で、構成する事が好ましい。
（７）本考案では、指部分を含め手の平側全部の表面５を、摩擦係数の大きい素材で構成しても良く、又は、手の平部分、あるいは、指部分など一部の表面を、摩擦係数の大きい素材で構成しても良い。
（８）本考案の、腕のベタツキ対応手袋は、特にパソコンのキーボード操作や、机上の事務作業時等に好適であり、腕の汗対策とともに、机上の書類等の汚れ防止の為にも優れている。
【符号の説明】
【０００９】１  …  手首
２  …  肘上
３  …  親指の第一関節
４  …  他の指の第二関節
５  …  手の平の表面
【図１】
0003151823.tif 000003
【図２】
0003151823.tif 000004
(57)【要約】      （修正有）【課題】刻印タガネを抱持できる保持台にセットし、定規竿に添って打刻するようにして整列した刻印を可能にする定規器を提供する。【解決手段】刻印タガネ１６を抱持できるようにした保持台１に定規竿９を嵌通し、両端を刻印台座１９に固定するようにして保持台１を刻印位置に固定し、刻印タガネ１６を抱持柱２にセットし打刻することで正しい位置に整列した刻印文字を簡単に入れることができるので従来要していた時間と労力を軽減できる。【選択図】図１
0003151803.tif 000002
【実用新案登録請求の範囲】
【請求項１】
定規竿を摺動自在に嵌通した保持台に、刻印タガネを吸着抱持できるようにした抱持柱を縦立し、定規竿の両端を固定して打刻するようにした吸着抱持を特徴とする刻印簡易打刻定規器。
【考案の詳細な説明】
【技術分野】
【０００１】本考案は刻印タガネを抱保持できるようにした機構に定規竿を摺動自在に嵌通して一体とし整列した刻印を得るようにした刻印簡易打刻定規器に関するものである。
【背景技術】
【０００２】一般的工房などで銘板、またはネームプレートなどに刻印文字を入れる場合、その箇所にペンなどを用いて下線を引きその線に添って打刻していた。このような手法では時間と労力を要するばかりか美しく整列した文字を入れることが難しかった。
【考案が解決しようとする課題】
【０００３】整列状態に刻印を打つのは肉体的にも精神的にも大きな負担がかかるため、刻印タガネを機構的に抱持して定規竿を摺動するようにすれば整列した状態の刻印文字を入れることが可能となり、前述の欠点を解決しようとするものである。
【課題を解決するための手段】
【０００４】本考案は刻印タガネを抱保持するようにした機構に定規竿を摺動自在に嵌通し、刻印台座に固定し、その定規竿に添った整列した刻印文字を得るようにし問題点を解決した。
【考案の効果】
【０００５】上述のような構成にしたことによって、時間や労力を要することなく簡単に整列した刻印が可能である。
【図面の簡単な説明】
【０００６】
【図１】本考案の刻印簡易打刻定規器の一実施例を表す等角図である。
【考案を実施するための最良の形態】
【０００７】棒磁石を非磁性板に添着し角柱の側面と直角をなすように装柱して刻印タガネを吸着抱持できるようにした抱持柱の縦面と保持台の側面を合わすように保持台に縦立固着し側面に定規竿を嵌通するため穿通し、保持台後面に固定用ネジを累嵌し、また側面に突出した刻印位置案内片が設けてある保持台に、一方に締め付けネジを累通した固定子を有する定規竿に、摺動自在な挟着子を締め付けネジの先端に接するよう嵌通し、穿通された保持台に摺動自在に嵌通し、もう一方に上面から固定ネジを累通した挟着子を嵌通する、定規竿の両端の挟着子を刻印台座幅に合わせて載せ一方のネジは挟着子を固定し一方の挟着子を締め付けネジで台座に締め付け固定する。その際、挟着子に付随したぐらつき防止用腕金と、それに付随した高さ調節ネジで刻印材料の表面と刻印位置案内片との間に隙間を作るよう定規竿を調節して固定し位置案内片を刻印位置に合わせ保持台を固定したあと、刻印タガネを抱持柱に抱持するようにセットし先端が刻印面に接するように摺下して、掴みながらハンマーで打刻する。あとは保持台を一字分摺動して同様に打刻する。
【実施例】
【０００８】添付図面に従って実施例を説明する。２、３、４は刻印タガネを垂直に抱持するために構成した抱持柱、１は抱持柱を縦立し垂直を保ち定規竿を自在に摺動する保持台で９は保持台を刻印位置に正しく摺動し整列した文字を刻印するための定規竿である。
１５ａ、１５ｂは挟着子のぐらつきを防止するための腕金。１４ａ、１４ｂ、１４ｃ、１４ｄは保持台を刻印材料と位置案内片の隙間を調節するための高さ調節ネジである。
１２ａ、１２ｂは定規竿の両端で台座を挟むように固定する挟着子。１１はその挟着子１２ｂを押して挟着子１２ａ、１２ｂに挟圧を加え、台座に刻印定規器を固定する締め付けネジ。７は保持台を定規竿に固定するネジ。６は７の固定ネジのハンドルピン。８は７の固定ネジをゆるめた時のハンドルピン制止ピン。１０は刻印位置の目安で定規竿上面に刻まれた目盛り。１６は刻印タガネ。１７は打刻するハンマー。１８は銘板・ネームプレートなど、刻印を入れる材料。１９は刻印簡易打刻定規器を固定する台座。２０は握持する指。２１は整列された刻印文字。【０００９】本考案の一実施例は上述のような構成から成るものであるから、着脱・使用も簡単であり作業の能率も一段と向上する。また、収納・保管などにもスペースを要さない。
【符号の説明】
【００１０】１      保持台
２      抱持柱
３      非磁性板
４      棒状磁石
５      文字位置案内片
６      固定用ネジのハンドルピン
７      保持台固定ネジ
８      固定用ネジのハンドルピン制止ピン
９      定規竿
１０    文字間隔目盛り
１２ａ  固定用ネジ付き挟着子
１２ｂ  挟着子
１３    挟着子固定ネジ
１４ａ  高さ調節ネジ
１４ｂ  〃
１４ｃ  〃
１４ｄ  〃
１５ａ  ぐらつき防止腕金
１５ｂ  〃
１６    刻印タガネ
１７    打刻ハンマー
１８    被刻印材料
１９    台座
２０    タガネを掴む指
２１    刻印された文字列
【図１】
0003151803.tif 000003
(57)【要約】      （修正有）【課題】簡単な構成と操作によって袋物としても使用することができる風呂敷を提供する。【解決手段】風呂敷の角を結ぶ２本の対角線上であって、対角線の交点を中心とする対称位置に一対のループ２を設けたことを特徴とする。風呂敷の角をループ２に通すことにより袋物となる。【選択図】図１
0003151801.tif 000002
【実用新案登録請求の範囲】
【請求項１】
出隅部の頂点を結ぶ２本の対角線上にそれぞれ一対のループを設けた風呂敷であって、前記ループは前記対角線の交点を中心にして対称位置に設けたことを特徴とする風呂敷。
【考案の詳細な説明】
【技術分野】
【０００１】  本考案は、風呂敷を袋物にも使えるようにしたものである。
【背景技術】
【０００２】  従来の風呂敷は物をつつむことにつかわれていた。
【考案の開示】
【０００３】  本考案は、風呂敷の改良にかんするものである、簡単な構成と操作によって袋物としても使用することが出来る風呂敷を提供することを課題とする。
【課題を解決するための手段】
【０００４】  本考案が提供する風呂敷は出隅部の頂点を結ぶ２本の対角線上にそれぞれ一体のループを設けた風呂敷であって、前記対角線の交点を中心にして、対称位置に設けたことを特徴とするものである。
【考案の効果】
【０００５】  この考案の風呂敷は、プールに出隅部を通し隣り合う両出隅部を結ぶと袋となる。この部分が持ち手となりこの持ち手を持って使用する。
【考案を実施するための最良の形態】
【０００６】  以上、本考案を実施するための最良の形態を実施例によって説明する。
【実施例】
【０００７】  図１は実施例の風呂敷である。図２は袋物にした時の斜視図である。図において、風呂敷（１）にプール（２）を出隅部の対角線上に４つ取り付け風呂敷の出隅部をループ（２）に通し、隣り合う出隅部をむすぶと持ち手ができる。その結果、この持ち手を持って使用する袋になる。
【図面の簡単な説明】
【０００８】
【図１】風呂敷の正面図である。
【図２】袋物にした斜視図である。
【符号の説明】（１）    風呂敷
（２）    ループ
【図１】
0003151801.tif 000003
【図２】
0003151801.tif 000004
(57)【要約】      （修正有）【課題】自動車の屋根等の上に載置して使用する新規の杖保持具を提供する。【解決手段】長尺状の本体フレームと、該本体フレームの表側には杖を銜えて保持する杖保持機構部と、杖保持機構部で保持した杖を更にバンドで止めつける杖落下防止機構部とを備え、該本体フレームの裏側には自動車の屋根に載置固定するための吸盤を備えたことを特徴とする。【選択図】図３
0003151892.tif 000002
【実用新案登録請求の範囲】
【請求項１】
自動車の屋根に載置して使用する杖保持具であって、長尺状の本体フレームと、該本体フレームの表側には杖を銜えて保持する杖保持機構部と、杖保持機構部で保持した杖を更にバンドで止めつける杖落下防止機構部とを備え、該本体フレームの裏側には自動車の屋根に載置固定するための吸盤を備えたことを特徴とする杖保持具。
【考案の詳細な説明】
【技術分野】
【０００１】
本考案は、被載置部（自動車の屋根等）上に載置して使用する杖保持具である。
【背景技術】
【０００２】
従来、自動車の屋根上に載置して使用する固定形の杖保持具はありません。
従来技術として、自動車車内のインストルメントパネル付近に杖や傘を保持できるようにしたフック付グリップ（特許文献１参照)や、自動車の屋根上に傘を収納する傘収納具（特許文献２参照）が存在する。
【先行技術文献】
【特許文献】
【０００３】
【特許文献１】特開２００４-１００１７号公報
【特許文献２】実用新案登録第３０３２０５９号公報
【考案の概要】
【考案が解決しようとする課題】
【０００４】
現在乗用車の屋根に載置する杖保持具はありません。
杖が、長い為、乗用車の中に持ち込むのは身体の不自由な人には大変だし、車中に持ち込んだときは邪魔になり危険でもある。
【課題を解決するための手段】
【０００５】
本考案は長い杖を、車内に持ち込むのに大変なため、又運転に支障を生じる危険性がある。車に乗り込むときに屋根に保持できれば簡単に乗ることが危険性も回避できる。
自動車の屋根に載置して使用する杖保持具であって、長尺状の本体フレームと、該本体フレームの表側には杖を銜えて保持する杖保持機構部と、杖保持機構部で保持した杖を更にバンドで止めつける杖落下防止機構部とを備え、該本体フレームの裏側には自動車の屋根に載置固定するための吸盤を備えたことを特徴とする杖保持具。
【考案の効果】
【０００６】
前述したように本考案は長い杖を車内持ち込むことが無く、ドア−を開け、乗り込む前に杖保持具が屋根にあるので杖を杖保持部に保持して容易に乗ることができる。
【図面の簡単な説明】
【０００７】
【図１】杖保持具を上から見た平面図である
【図２】杖保持具を横から見た断面図である
【図３】杖保持具に杖を保持した図面である
【図４】杖保持部
【図５】杖落下防止
【考案を実施するための形態】
【０００８】
杖保持具を被載置部に強力な吸盤で載置して、杖を保持部に保持して、より安全のため固定バンドにて固定する。
以下、図１から図５を使用しながら本考案を説明する。
１は被載置部に杖保持具を固定させる強力な吸盤である。
２は被載置部に杖保持具を固定させる強力な吸盤と、杖を保持する杖保持機構部と、該杖保持機構部により杖を安全に保持できるものの、さらに安全を保つ為にバンドで固定する金物（杖落下防止機構部）とを一体化させる金属板（本体フレーム）である。
３は杖保持機構部である。
４は杖落下防止機構部である。
５は杖を保持する保持部で、スプリングで形成されていて、上部の開口部分が杖を装着するときに開き、杖を保持したときに開口部分が戻り、杖を銜え固定する杖保持部である。
６は杖を、杖保持部に保持するとき少差であればスプリングが開き杖が保持できるが、大きく異なるときに杖の太さに合わせる調整ボルトである。
７は杖保持部に、杖の太さが大きく異なる時の調整の為のボルトを、ナットで締め付け、固定したときに車の振動でナットが緩むのを防止するスプリングワッシャである。
８は杖保持部に、杖を保持したときに杖の太さが大きく異なる時の調整の為の締め付けナットである。
９は杖保持部に、杖を保持したときに杖の太さが大きく異なるときの調整の為の締め付けナットが、車の振動で緩まぬ為のロックナットである。
１０は杖を、杖保持機構部３に保持したときに、杖保持部がしっかり杖を銜えますが、より安全を確保する為のバンド端部を受ける金物である。この金物１０は金属板（本体フレーム）２に固定されている。
１１は杖を、杖保持部に保持したときに抑える、バンドの端部を１０の金物とバンドを結合させバンドの端部を結束する金物である。
１２は杖を、杖保持部に保持したときに杖保持部がしっかり杖を銜えますが、より安全を確保する為の押さえバンドである。
１３は杖を、杖保持部に保持したときに杖保持部がしっかり杖を銜えますが、より安全を確保する為のバンドの端部を１４の金物に引っ掛けるフックである。
１４は杖を、杖保持部に保持したときに杖保持部がしっかり杖を銜えますが、より安全を確保する為、バンドの端部のフックを受ける金物である。この金物１４は金属板（本体フレーム）２に固定されている。
【符号の説明】
【０００９】
１  吸盤
２  金属板（本体フレーム）
３  杖保持機構部
４  杖落下防止機構部
【図１】
0003151892.tif 000003
【図２】
0003151892.tif 000004
【図３】
0003151892.tif 000005
【図４】
0003151892.tif 000006
【図５】
0003151892.tif 000007
(57)【要約】      （修正有）【課題】患部に貼り付けたとき、隅部や周縁部が剥がれない経皮吸収型鎮痛消炎貼付剤を提供する。【解決手段】表面が鎮痛消炎貼付剤面２となっている伸縮性の布１と、その貼付剤面２に貼付した透明剥離フイルム４とよりなる鎮痛消炎貼付剤であって、前記貼付剤面２の外周縁部に貼用薬３が塗布されていることを特徴とする。【選択図】図１
0003151858.tif 000002
【実用新案登録請求の範囲】
【請求項１】
表面が鎮痛消炎貼付剤面となっている伸縮性の布と、その貼付剤面に貼付した透明剥離フィルムとよりなる鎮痛消炎貼付剤であって、前記貼付剤面の外周縁部に貼用薬が塗布されていることを特徴とする経皮吸収型鎮痛消炎貼付剤。
【請求項２】
表面が鎮痛消炎貼付剤面となっている伸縮性の布と、その裏面に貼付した前記布より大きい裏面シートとよりなる鎮痛消炎貼付剤であって、前記貼付剤面側に表出する裏面シートの外周縁部に貼用薬が塗布されていることを特徴とする経皮吸収型鎮痛消炎貼付剤。
【考案の詳細な説明】
【技術分野】
【０００１】
本考案は、経皮吸収型鎮痛消炎貼付剤に関するものである。
【背景技術】
【０００２】
従来の鎮痛消炎貼付剤は、片面が鎮痛消炎貼付剤面となっている伸縮性の布で、前記貼付剤面に透明剥離フィルムを貼り付けた構成になっている。
しかし、従来の貼付剤は、これを患部に貼ると、衣類との摩擦で、隅部や周縁部が剥はがれていく。特に下着の上げ下ろしの時に剥がれる。
【考案の概要】
【考案が解決しようとする課題】
【０００３】
本考案は、上述した従来の貼付剤の問題点を解決することが課題である。
すなわち、上記隅部や周縁が剥がれない鎮痛消炎貼剤を提供することを課題とする。
【課題を解決するための手段】
【０００４】
本考案が上記課題を解決するために提供する貼付剤は、次の（１）及び（２）に記載のものである。
（１）表面が鎮痛消炎貼付剤面となっている伸縮性の布と、その貼付剤面に貼付した透明剥離フィルムとよりなる鎮痛消炎貼付剤であって、前記貼付剤面の周縁部に貼用薬が塗布されていることを特徴とする経皮吸収型鎮痛消炎貼付剤（以下、第１の貼付剤という）。
（２）表面が鎮痛消炎貼付面となっている伸縮性の布とその裏面に貼付した前記布より大きい裏面シートとよりなる鎮痛消炎貼付剤であって、前記貼付剤面側に表出する裏面シート外周縁部に貼用薬が塗布されていることを特徴とする経皮吸収鎮痛消炎貼付剤（以下第２の貼付剤という）。
【考案の効果】
【０００５】
本考案の貼付剤によれば、その外周縁部が貼用薬によって肌に密着するので、隅部や周縁部が衣類との摩擦で剥がれるおそれがなくなる。
特に身体の屈伸の多い場所に貼付したときでも剥がれるおそれがなく安心感がある。
【図面の簡単な説明】
【０００６】
【図１】透明剥離フィルムを剥がした状態を示す実施例１の鎮痛消炎貼付剤の平面図である。
【図２】図１のＡ−Ａ断面拡大図である。
【図３】透明剥離フィルムを剥がした状態を示す実施例２の鎮痛消炎貼付剤の平面図である。
【図４】図３のＢ−Ｂ断面拡大図である。
【考案を実施するための形態】
【０００７】
以下、図面を参照にしながら本案の実施形態を実施例によって説明をする。
【実施例１】
【０００８】
図１と図２は、実施例１の経皮呼吸型鎮痛消炎貼付剤を示す。この実施例は、第１の貼付剤の実施例である。図において、１は表面が鎮痛消炎貼付剤面２となっている伸縮性の布である。３は貼付剤面２の外周縁部に塗布した貼用薬で、例えば、バンソウコウに塗布されている貼用薬である。４は貼付剤面２と貼用薬３の上に貼付した透明剥離フィルムである。このフィルム４は左右一対のフィルムで構成され、一部を重ねて貼付されている。一部を重ねるのは、剥離し易くするためである。
【実施例２】
【０００９】
図３と図４は、実施例２の経皮吸収型鎮痛消炎貼付剤を示す。この実施例は、第２の貼付剤の実施例である。図において、１１は表面が鎮痛消炎貼付剤面１２となっている伸縮性の布である。１３は布１１の裏面に貼付した裏面シートである。
このシートは布１１より大きく、その外周縁部１３ａは布１１の周囲に額縁状に突出している。貼付剤面１２側に表出する裏面シートの外周縁部１３ａの表面には貼用薬１４が塗布されている。
１５は貼付剤面１２と貼用薬１４の上に貼付した透明剥離フィルムである。このフィルム１５は、実施例１と同様に剥離し易く貼付されている。
【００１０】
実施例１と実施例２の貼付剤は、上述のような構成となっているので、剥離フィルム４，１５を剥離することによって患部に貼り付けることができる。
貼り付けた状態では、貼付剤は貼用薬３，１４で肌に強固に貼着され、容易に剥がれなくなる。
【符号の説明】
【００１１】
１，１１  布    
２，１２  鎮痛消炎貼付剤面
３，１４  貼用薬
４，１５  透明剥離フィルム
１３      裏面シート
１３ａ  外周縁部
【図１】
0003151858.tif 000003
【図２】
0003151858.tif 000004
【図３】
0003151858.tif 000005
【図４】
0003151858.tif 000006
(57)【要約】      （修正有）【課題】強制的に食品が内包する水分を除去せず、柔らかくて壊れ易い食品そのものの形態を壊すことなく、ドリップによる外観の低下を排除できる容器を提供する。【解決手段】商品の容器の底部にスリット１を設け毛細管現象によって隙間にドリップを閉じこめることによって、ドリップを取り除いてしまうのでもなく、又滲み出たドリップが商品価値を損ねると云う問題点も解消できる。この構造をとることによって、強制的に食品が内包する水分を除去しないので、柔らかくて壊れ易い食品そのものの形態を壊すこともなく、滲み出てきた水分、即ちドリップによる外観の低下を排除できるという利点がある。【選択図】図１
0003151855.tif 000002
【実用新案登録請求の範囲】
【請求項１】
食品から滲みでてくるドリップを毛細管現象によって隙間にドリップを閉じこめるスリットを容器の底部に形成させた食品用の容器。
【考案の詳細な説明】
【技術分野】
【０００１】
本考案は、ドリップ吸収部を有する容器に関するものである。
【背景技術】
【０００２】
紀州産梅干や各種の漬物の内、例えば福神漬は、身が柔らかいために容器に入れて時間が経つとドリップが底に貯まり、取り扱い業者や消費者から見た目が悪く、品質が劣化しているのではないか、とクレームが出ることがある。
【０００３】
一般に、水分を有する食品を水分と食品そのものを分離する手段としては、水分は通すが食品自体は通さない篩やすのこを用いる事は広く行われているところである。例えば、水は通過可能で、且つ米粒は通過できない大きさの貫通孔が多数形成されているすのこ板を装着させた炊飯調理鍋（特開２００５−７０８６号公報）、又、熱湯で調理した後に麺と麺の間に残る残存水滴を完全に除去するために容器本体の底部に凸型突起と凹型溝を設け、且つこの容器底面を容器内部の外周に設置した水滴溜め部側に向かって傾斜させたつけ麺容器（特開２００３−１３７３６３号公報）などがある。
【０００４】
しかしながら、これらの先行技術は、梅干や福神漬け、その他の漬物などには応用できない。なぜならば、食品の品質保持のためには、これらのものは、態々水分を除去するものでもなく、又、強制的に水分を除去すべきものでもない。本考案の対象となる商品は、身が柔らかく又保湿能力が高いために、軽度に脱水処理をして容器に入れて包装した後、時間の経過とともに、自然にドリップとなって滲み出てくる比較的少量の水分を有する食品である。
従来、このドリップを商品の外観を落とすことなく除去乃至保持する容器は見当たらない。
【先行技術文献】
【特許文献】
【０００５】
【特許文献１】特開２００５−７０８６号公報
【特許文献２】特開２００３−１３７３６３号公報
【考案の概要】
【考案が解決しようとする課題】
【０００６】
解決しようとする問題点は、身が柔らかく又保湿能力が高いために、軽度に脱水処理して容器に入れて包装した後、時間の経過とともに、自然にドリップとなって滲み出てくる比較的少量の水分が、商品の外観や商品自体の品質の劣化を齎す、或は品質に劣化を来たしているのではないかという印象を与えるという点である。
【課題を解決するための手段】
【０００７】
本考案は、商品の容器の底部にスリットを設け毛細管現象によって隙間にドリップを閉じこめることによって、ドリップを取り除いてしまうのでもなく、又滲み出たドリップが商品価値を損ねると云う問題点も解消できるということを最も主要な特徴とする。
即ち、本考案は、食品から滲みでてくるドリップを毛細管現象によって隙間にドリップを閉じこめるスリットを容器の底部に形成させた食品用の容器である。
【考案の効果】
【０００８】
本考案のドリップ吸収部としてスリット１を有する容器は、強制的に食品が内包する水分を除去しないので、柔らかくて壊れ易い食品そのものの形態を壊すこともなく、滲み出てきた水分、即ちドリップによる外観の低下を排除できるという利点がある。
【図面の簡単な説明】
【０００９】
【図１】図１は本考案容器の縦断面図である。
【図２】図２は本考案容器の底部の平面図である。
【図３】図３は本考案他の態様の容器の縦断面図である。
【図４】図４は本考案他の態様の容器の底部平面図である。
【考案を実施するための形態】
【００１０】
本考案の容器が有するドリップ吸収部としてのスリット１は、毛細管現象によって水分を含み、傾斜や逆さにしても該水分は流れ出ない細さ及び深さを持つ。商品のドリップにもよるが、紀州産梅干の場合、３００ｃｃの容器の場合、スリットの幅は凡そ１乃至３ミリ、深さ凡そ３から５ミリである。スリットの数乃至容量は、滲出するドリップの量や質、粘度等に応じて適宜選択すればよい。
スリット１の形状は特に制限はなく、四角形の溝状（図２、実施例１）、筋状（図４）、又図示しない渦巻状（蚊取り線香様）のものでもよい。
容器３及びその蓋部４の形状は底面及び上部開口部が円形、正方形、長方形、多角形これらの組み合わせの何れであってもよい。
【００１１】
又、該容器はプラスチック製の物が扱いやすいが、ガラス製、金属製、陶器であってもよい。
本考案の容器は、梅干、各種の漬物、その他の加工食品に広く利用できる。特に身が柔らかいために、保存中にドリップ、即ち漬け汁がしみ出て来やすい加工食品、例えば紀州産の梅干などに特に有利に利用できる。
【実施例１】
【００１２】
図１は、本考案容器の１実施例の底部の平面図であって、１〜４は、図２、図３、図4と同様である。
底部に幅３ミリ、深さ５ミリのスリット１を形成させた容量３００ｃｃ、深さ４０ミリのプラスチック製容器１に紀州産梅干し２５０ｇを投入、常法通り密封して梅干し商品とした。これを６ヶ月間常温で保存したが、滲み出たドリップは全て該スリットに封じ込まれて、商品の外観を見苦しくさせるドリップは見られなかった。
一方、対象として従来から使用しているスリットのない容器に梅干し250ｇを投入、密封して６ヶ月間常温で保存した。従来どおり、梅干の下部はドリップに浸されていた。
【符号の説明】
【００１３】
１  ドリップ吸収部としてのスリット  
２  容器本体  
３  容器の蓋部  
４  容器の脚部  
【図１】
0003151855.tif 000003
【図２】
0003151855.tif 000004
【図３】
0003151855.tif 000005
【図４】
0003151855.tif 000006